(57)【特許請求の範囲】
【請求項１】
板ケージが円形に曲げられた少なくとも１つのセグメントから成り、このセグメントがセグメントの突合わせ個所において結合されているものにおいて、突合わせ個所（１０）において、周方向におけるケージ端部が、互いにはまり合う鎖錠部分（４）を持ち、これらの鎖錠部分（４）がプラスチツク製止め素子（６，６′）により分離不可能に固定され、その際止め素子（６，６′）が鎖錠部分（４）の両側即ち半径方向内側及び外側にあって、板ケージ（１）の鎖錠部分（４）の範囲にある開口（５）を介して１つの一体なプラスチック部分となるように結合されていることを特徴とする、ころがり軸受用板ケージ。
【請求項２】
止め素子（６，６′）にころがり体用保持突起（７，７′）が一体に成形されていることを特徴とする、請求項１に記載のころがり軸受用板ケージ。
【請求項３】
板ケージ（１）の橋絡片（１１）の両側即ち半径方向内側及び外側にころがり体用保持突起（９，９′）があって、橋絡片（１１）にある開口（８）を介して１つの一体な部分となるように結合されていることを特徴とする、請求項２に記載の板ケージ。
【発明の詳細な説明】
【０００１】
【発明の属する技術分野】
本発明は、板ケージが円形に曲げられた少なくとも１つのセグメントから成り、このセグメントがセグメントの突合わせ個所において結合されているころがり軸受用板ケージに関する。
【０００２】
【従来の技術】
板ケージは、ころがり軸受のすべてのケージのように、ころがり体を案内し、ころがり体を互いに離して保持する役割を持っている。板ケージの製造費を最適にするため、例えば打抜かれた材料帯片から成る板ケージを、円形曲げ及び端部の結合により製造するのが目的に適つている。
【０００３】
ドイツ連邦共和国実用新案第８００８２７１号明細書には、ケージセグメント用の種々の結合部が示されている。この結合部の一部はねじ及びその他の結合部材から成り、従って取扱うのに労力がかかり、塊状のケージにしか適していない。更にこの刊行物には、ケージセグメントをまとめるＵ字状クランプも記載されている。このクランプは手により継ぎ合わせねばならず、更にケージセグメントの全遠心力を受止めねばならないという問題も持っている。従って高い回転数では、これらのＵ字状保持クランプはケージから脱出することがある。
【０００４】
【発明が解決しようとする課題】
従って本発明の課題は、板ケージの設計の際、板ケージを個々のセグメントから製造し、安価な素子を介して止めることである。
【０００５】
【課題を解決するための手段】
本発明によれば、この課題は、請求項１の特徴によって解決される。
【０００６】
本発明の利点は、板ケージを板帯片から作ることができ、従ってくず円板がなくなる。板ケージ又は板ケージセグメントの打抜き及び円形曲げの後、鎖錠部分は突合わせ個所で互いにはまり合う（好ましい設計はダブテール状）。
【０００７】
鎖錠部分の範囲はプラスチツクから成る止め素子の一体成形により固定されるので、両方のケージ端部はもはや半径方向に互いに移動することはない。止め素子は鎖錠部分の半径方向外側及び内側に同時に一体成形される鎖錠部分の範囲にある開口を通して、プラスチツクが１つの部分となるように結合される。
【０００８】
鎖錠部分の範囲に残る間隙（突合わせ個所）も、一体に成形されるプラスチツクにより閉鎖される。それにより、ケージの使用の際力が周方向に作用し、互いにはまり合う鎖錠部分により、ケージの突合わせ個所で受止められる。従って止め素子はこの力を受け止める必要がない。
【０００９】
【実施例】
図１は、止め素子及び保持突起を一体に成形する前における円筒ころ軸受用の円形に曲げられる板ケージ１を示している。突合せ個所において互いにはまり合う鎖錠部分４が示されている。互いにはまり合う鎖錠部分４の範囲にある開口５を介して、止め素子６（図１には示していないが図３に示してある）が、プラスチツク材料の両側における成形の際１つの一体なプラスチック部分となるように、即ち物質的に結合される。それにより周方向におけるはまり合い結合部が半径方向移動を防止される。橋絡片１１にある開口８を通して、保持突起９（図１には示していないが図４に示してある）も、（止め素子と同様に）両側に同時に成形されて、物質的に結合される。
【００１０】
図２は図１による板ケージを示し、この板ケージは２つのセグメントから製造されている。
【００１１】
図３は図２による板ケージを示し、このケージに止め素子６が一体に成形されている。それにより突合せ個所１０の半径方向移動が防止される。更に止め素子６には、ころを保持する保持突起７も設けられている。
【００１２】
図４には、図１による板ケージが示されている。この板ケージには止め素子６及び図示しないころ用の保持突起９が一体に成形されている。止め素子６にある保持突起７は、この斜視図には見えない。保持突起９は半径方向内方へ突出している。
【００１３】
図５には、図１による板ケージが示され、この場合保持突起９は半径方向外方へ突出している。止め素子６にある保持突起７はこの斜視図では明白に見とめられる。円筒ころは図示してない。
【００１４】
図６には、深溝玉軸受用板ケージ２が示されている。打抜き後このケージは円形に曲げられている。互いにはまり合う鎖錠部分４は、周りにプラスチックを射出成形される前に示されている。プラスチック材料を両側に一体に成形する際互いにはまり合う鎖錠部分４にある開口５を通して、止め素子６′が物質的に結合される。この止め素子６′によりケージが突合わせ個所１０で固定される。橋絡片１１にある開口８を通して、両側にプラスチツク材料を一体に成形する際、保持突起９′が物質的に結合される。
【００１５】
図７には、図６による板ケージが示されている。このケージには、保持突起７′を持つ止め素子６′が示されている。球冠の間にある橋絡片１１には、保持突起９′が一体に成形されている。
【００１６】
図８には、アンギユラコンタクト玉軸受用の板ケージ３が示されている。結合個所において互いにかみ合う鎖錠部分４は結合素子の一体成形前において示されている。この場合２つの鎖錠部分４が存在する。
【図面の簡単な説明】
【図１】円形曲げ後の円筒ころ軸受用板ケージを止め素子なしで示す。
【図２】円形曲げ後の２つのセグメントから成る円筒ころ軸受用板ケージを止め素子なしで示す。
【図３】円形曲げ後の２つのセグメントから成りかつ２つの止め素子を持つ円筒ころ軸受用の板ケージを示す。
【図４】止め素子及び橋絡片範囲に内方へ向く保持突起を持つ円筒ころ軸受用の板ケージを示す。
【図５】外方へ向く保持突起を持つ図４によるケージを示す。
【図６】深溝玉軸受用の円形に曲げられる板ケージを止め素子なしで示す。
【図７】突合わせ個所に止め素子を持ちかつ橋絡片に保持突起を持つ図６によるケージを示す。
【図８】突合わせ個所に２つの鎖錠部分を持ち円形に曲げられるアンギユラコンタクト玉軸受を止め素子なしで示す。
【符号の説明】
１                板ケージ
４                鎖錠部分
５                開口
６，６′          止め素子
１０              突合わせ個所
【図１】
0003870334.tif 000002
【図２】
0003870334.tif 000003
【図３】
0003870334.tif 000004
【図４】
0003870334.tif 000005
【図５】
0003870334.tif 000006
【図６】
0003870334.tif 000007
【図７】
0003870334.tif 000008
【図８】
0003870334.tif 000009